(57)【特許請求の範囲】
【請求項１】
冷却用の空気を通すための通風孔が形成された筐体と、
前記筐体内に設けられた複数の発熱部品と、
前記筐体に設けられ、前記通風孔を通して冷却用の空気を吸排気し、前記筐体内を冷却するためのファンと、
前記筐体内に設けられ、前記冷却用の空気の風量を検出する風量センサと、
前記筐体内に設けられ、前記筐体内の湿度を検出する湿度センサと、
前記風量センサが検出した風量および前記湿度センサが検出した湿度に基づいて、アラーム通知の制御を行う制御部と、
を備え、
前記制御部は、前記風量センサが検出した風量が予め設定した第１閾値以下であるときは風量異常のアラーム通知を行うように制御し、前記湿度センサが検出した湿度が予め設定した第２閾値以上であるときは湿度異常のアラーム通知を行うように制御し、前記風量センサが検出した風量が前記第１閾値以下であり、かつ、前記湿度センサが検出した湿度が前記第２閾値以上であるときは、通信装置をシャットダウンするように制御する、通信装置。
【請求項２】
冷却用の空気を通すための通風孔が形成された筐体と、
前記筐体内に設けられた複数の発熱部品と、
前記筐体に設けられ、前記通風孔を通して冷却用の空気を吸排気し、前記筐体内を冷却するためのファンと、
前記筐体内に設けられ、前記冷却用の空気の風量を検出する風量センサと、
前記筐体内に設けられ、前記筐体内の湿度を検出する湿度センサと、
前記筐体内に設けられ、前記筐体内の温度を検出する温度センサと、
前記風量センサが検出した風量および前記湿度センサが検出した湿度に基づいて、アラーム通知の制御を行う制御部と、
を備え、
前記複数の発熱部品は、外部とのデータ通信を行う複数の通信用ＬＳＩを含み、
前記制御部は、前記風量センサが検出した風量が予め設定した第１閾値以下であるときは風量異常のアラーム通知を行うように制御し、前記湿度センサが検出した湿度が予め設定した第２閾値以上であるときは湿度異常のアラーム通知を行うように制御し、前記温度センサが検出した温度が予め段階的に設定した第３閾値以上であるときは、前記複数の通信用ＬＳＩを予め設定した優先順位に従って動作を停止させるように制御する、通信装置。
【請求項３】
請求項２に記載の通信装置において、
前記制御部は、
前記風量センサが検出した風量が予め設定した第１閾値以下であり、かつ、前記湿度センサが検出した湿度が予め設定した第２閾値以上であるとき、
または、前記温度センサが検出した温度が予め段階的に設定した第３閾値以上であるときは、
前記通信装置をシャットダウンするように制御する、通信装置。
【請求項４】
冷却用の空気を通すための通風孔が形成された筐体と、
前記筐体内に設けられた複数の発熱部品と、
前記筐体に設けられ、前記通風孔を通して冷却用の空気を吸排気し、前記筐体内を冷却するためのファンと、
前記筐体内に設けられ、前記冷却用の空気の風量を検出する風量センサと、
前記筐体内に設けられ、前記筐体内の湿度を検出する湿度センサと、
前記風量センサが検出した風量および前記湿度センサが検出した湿度に基づいて、アラーム通知の制御を行う制御部と、
を備えた、通信装置の制御方法であって、
前記制御部は、前記風量センサが検出した風量が予め設定した第１閾値以下であるときは風量異常のアラーム通知を行うように制御し、前記湿度センサが検出した湿度が予め設定した第２閾値以上であるときは湿度異常のアラーム通知を行うように制御し、前記風量センサが検出した風量が前記第１閾値以下であり、かつ、前記湿度センサが検出した湿度が前記第２閾値以上であるときは、前記通信装置をシャットダウンするように制御する、通信装置の制御方法。
【請求項５】
冷却用の空気を通すための通風孔が形成された筐体と、
前記筐体内に設けられた複数の発熱部品と、
前記筐体に設けられ、前記通風孔を通して冷却用の空気を吸排気し、前記筐体内を冷却するためのファンと、
前記筐体内に設けられ、前記冷却用の空気の風量を検出する風量センサと、
前記筐体内に設けられ、前記筐体内の湿度を検出する湿度センサと、
前記筐体内に設けられ、前記筐体内の温度を検出する温度センサと、
前記風量センサが検出した風量および前記湿度センサが検出した湿度に基づいて、アラーム通知の制御を行う制御部と、
を備えた、通信装置の制御方法であって、
前記複数の発熱部品は、外部とのデータ通信を行う複数の通信用ＬＳＩを含み、
前記制御部は、前記風量センサが検出した風量が予め設定した第１閾値以下であるときは風量異常のアラーム通知を行うように制御し、前記湿度センサが検出した湿度が予め設定した第２閾値以上であるときは湿度異常のアラーム通知を行うように制御し、前記温度センサが検出した温度が予め段階的に設定した第３閾値以上であるときは、前記複数の通信用ＬＳＩを予め設定した優先順位に従って動作を停止させるように制御する、通信装置の制御方法。
【発明の詳細な説明】
【技術分野】
【０００１】
本発明は、通信装置およびその制御方法に関する。
【背景技術】
【０００２】
通信装置は、内部に通信用ＬＳＩが実装されている。このような通信装置では、通信用ＬＳＩが通信トラフィック量に応じて発熱するため、この通信用ＬＳＩを冷却するためのファンが設置されている。このファンにより、通信装置内部に冷却用の空気の流れを作り、通信用ＬＳＩを冷却する。このような通信装置の構成において、通信装置の筐体には通風孔が形成されており、この通風孔から冷却用の空気が取り込まれる。
【０００３】
例えば、ファンに関する技術として、特許文献１がある。この特許文献１には、温度や湿度が閾値よりも高くなったときにファンの通気量を増やすように制御する技術が記載されている。
【先行技術文献】
【特許文献】
【０００４】
【特許文献１】特開２０１３−１９１７７２号公報
【発明の概要】
【発明が解決しようとする課題】
【０００５】
上述したような通信装置は、例えば、空調などが無く埃が滞留するような環境に置かれる場合がある。このような場合、埃が通風孔を通り抜けて通信装置内部に取り込まれることがある。例えば、通風孔を通り抜けた埃が通信装置内部の電気回路に付着して空気中の水分と結びついた場合には、埃が炭化するなどしてトラッキング現象が発生するおそれがある。なお、上述した特許文献１では、トラッキング現象の発生については考慮されていない。
【０００６】
本発明の目的は、トラッキング現象の発生を防止する技術を提供することである。
【課題を解決するための手段】
【０００７】
本発明の一実施の形態の通信装置は、冷却用の空気を通すための通風孔が形成された筐体と、前記筐体内に設けられた複数の発熱部品と、前記筐体に設けられ、前記通風孔を通して冷却用の空気を吸排気し、前記筐体内を冷却するためのファンと、を備える。さらに、一実施の形態の通信装置は、前記筐体内に設けられ、前記冷却用の空気の風量を検出する風量センサと、前記筐体内に設けられ、前記筐体内の湿度を検出する湿度センサと、前記風量センサが検出した風量および前記湿度センサが検出した湿度に基づいて、アラーム通知の制御を行う制御部と、を備える。
【０００８】
より望ましくは、前記一実施の形態の通信装置において、前記制御部は、前記風量センサが検出した風量が予め設定した第１閾値以下であるときは風量異常のアラーム通知を行うように制御し、前記湿度センサが検出した湿度が予め設定した第２閾値以上であるときは湿度異常のアラーム通知を行うように制御する。
【０００９】
本発明の一実施の形態の通信装置の制御方法は、上述した一実施の形態の通信装置において、前記制御部は、前記風量センサが検出した風量が予め設定した第１閾値以下であるときは風量異常のアラーム通知を行うように制御し、前記湿度センサが検出した湿度が予め設定した第２閾値以上であるときは湿度異常のアラーム通知を行うように制御する。
【発明の効果】
【００１０】
本発明の一実施の形態によれば、トラッキング現象の発生を防止することができる。
【図面の簡単な説明】
【００１１】
【図１】本発明の実施の形態１に係る通信装置の全体構成および冷却用の空気の流れの一例を説明する図である。
【図２】本発明の実施の形態１に係る通信装置の機能構成の一例を示すブロック図である。
【図３】本発明の実施の形態１に係る通信装置の前面の一例を示す図である。
【図４】本発明の実施の形態１に係る通信装置の制御方法の一例を示すフロー図である。
【図５】本発明の実施の形態２に係る通信装置の全体構成および冷却用の空気の流れの一例を説明する図である。
【図６】本発明の実施の形態２に係る通信装置の機能構成の一例を示すブロック図である。
【図７】本発明の実施の形態２に係る通信装置の制御方法の一例を示すフロー図である。
【図８】図７に続く通信装置の制御方法の一例を示すフロー図である。
【図９】図７および図８による通信装置の制御方法において、各閾値とアラームおよびシャットダウンとの関係の一例を説明する図である。
【発明を実施するための形態】
【００１２】
以下、本発明の実施の形態を図面に基づいて詳細に説明する。なお、実施の形態を説明するための全図において、同一部には原則として同一の符号を付し、その繰り返しの説明は省略する。
【００１３】
［実施の形態１］
実施の形態１に係る通信装置およびその制御方法を、図１〜図４を用いて説明する。
【００１４】
＜通信装置＞
図１〜図３は、本実施の形態に係る通信装置を説明するための図である。図１は、通信装置の全体構成および冷却用の空気の流れの一例を説明する図である。図１では、通信装置を上面から見て、その概略を示している。図２は、通信装置の機能構成の一例を示すブロック図である。図３は、通信装置の前面の一例を示す図である。
【００１５】
図１〜図３に示すように、通信装置１は、冷却用の空気を通すための通風孔２が形成された筐体３と、筐体３内に設けられた複数の発熱部品４と、筐体３に設けられ、通風孔２を通して冷却用の空気を吸排気し、筐体３内を冷却するためのファン５と、を備えている。
【００１６】
ここでは、一例として、通信装置１がネットワークスイッチ（スイッチングハブ）１ａである場合を説明する。この場合、発熱部品４は、外部とのデータ通信を行う通信用ＬＳＩ（Large Scale Integration）４ａ〜４ｂや、ＣＰＵ（Central Processing Unit）、メモリ、監視タイマーおよび内部タイマーなどを含む制御部１２や、ＣＰＵおよびメモリなどを含む制御回路１３となる。
【００１７】
通信用ＬＳＩ４ａ〜４ｂは、複数のポートをまとめたポートブロック６ごとに設けられ、外部とのデータ通信において、符号処理などの通信処理を行うものである。ここでは、１２のポートのうち６のポートを１つのポートブロック６として、２つの通信用ＬＳＩ４ａ〜４ｂを備えている場合を説明する。以下、第１〜６ポートに対応するものを第１通信用ＬＳＩ４ａ、第７〜１２ポートに対応するものを第２通信用ＬＳＩ４ｂと呼称する。なお、ポートは１２に限らず、これ以上でも、これ以下でもよい。また、ポートが増えれば、これに対応して通信用ＬＳＩも増えることになる。また、１つのポートブロックは６のポートに限らず、これ以上でも、これ以下でもよい。
【００１８】
制御部１２は、各通信用ＬＳＩ４ａ〜４ｂに接続され、各ポートのフレーム転送制御を行う。また、制御部１２は、ＬＥＤ（Light Emitting Diode）１０に接続されたＬＥＤ駆動回路１１に接続され、ＬＥＤ１０を点灯させるなどのアラーム通知の制御も行う。ＬＥＤ１０は、筐体３の正面（前面）側に設けられている。
【００１９】
制御回路１３は、風量センサ７および湿度センサ８に接続され、各センサが検出した風量および湿度の情報を制御部１２へ転送する。また、制御回路１３は、制御部１２に接続され、この制御部１２では、制御回路１３から転送されてくる風量および湿度の各検出情報に基づいた制御を行う。
【００２０】
通信装置１において、通信用ＬＳＩ４ａ〜４ｂ、制御部１２および制御回路１３や、風量センサ７および湿度センサ８の各センサは、基板上に実装されて、筐体３内に収納されている。
【００２１】
この通信装置１において、筐体３の背面側にはファン５が設けられている。ファン５は、筐体３の正面（前面）側に形成された通風孔２を通して、外部から冷却用の空気を取り込み、この冷却用の空気を吸排気して筐体３内を冷却するように設けられている。すなわち、この通信装置１は、筐体３の前面の通風孔２から吸気し、筐体３の背面から排気する前面吸気・背面排気の構造となっている。
【００２２】
なお、図１では、筐体３内にファン５を２つ設ける場合を示しているが、ファン５の数はこれに限定されるものではない。また、ここでは、通信装置１の起動中にファン５が一定回転数で回転される場合を説明するが、通信装置１の稼働状態などに応じてファン５の回転数を調整する機構を有していても構わない。
【００２３】
図３に示すように、ネットワークスイッチ１ａでは、前面のパネル２１には各ポートのジャック２２が多数配置されているため、大径の通風孔２を形成するスペースを確保することが困難であり、パネル２１の縁部（ここでは上方の縁部）に小径の通風孔２を多数形成するのが一般的である。図３のネットワークスイッチ１ａのように小径の通風孔２を多数形成したタイプの通信装置１は、例えば、空調などが無く埃が滞留するような環境に置かれる場合がある。
【００２４】
このような場合、埃が通風孔２を通り抜けて通信装置１内部に取り込まれることがある。例えば、通風孔２を通り抜けた埃が通信装置１内部の通信用ＬＳＩ４ａ〜４ｂ、制御部１２や制御回路１３などの電気回路に付着して空気中の水分と結びついた場合には、埃が炭化するなどしてトラッキング現象が発生するおそれがある。トラッキング現象は、埃が水分を含むことで導通路ができ、この導通路は細く高抵抗なので発熱して炭化し、導通抵抗が低くなり大電流が流れて火花放電し、発火につながる現象である。このトラッキング現象の発生は空気中の水分が影響するため、この水分に関係する通信装置１内部の湿度を監視することが望ましい。
【００２５】
また、埃が通風孔２を通り抜けず、通風孔２に溜まって目詰まりを起こしてしまう場合もある。このような場合、通信装置１内部に冷却用の空気が取り込まれないため、トラッキング現象の発生に影響することも考えられるので、この空気の風量を監視することも望ましい。
【００２６】
そこで、本実施の形態に係る通信装置１では、筐体３内に設けられた風量センサ７と、筐体３内に設けられた湿度センサ８と、を備えている。そして、制御部１２は、風量センサ７が検出した風量と、湿度センサ８が検出した湿度とに基づいて制御を行う。例えば、制御部１２は、風量センサ７が検出した風量が予め設定した第１閾値以下であるときは風量異常のアラーム通知を行うように制御し、湿度センサ８が検出した湿度が予め設定した第２閾値以上であるときは湿度異常のアラーム通知を行うように制御する。さらに、制御部１２は、風量センサ７が検出した風量が予め設定した第１閾値以下であり、かつ、湿度センサ８が検出した湿度が予め設定した第２閾値以上であるときは、通信装置１をシャットダウンするように制御する。
【００２７】
風量センサ７は、通風孔２を通して吸排気される冷却用の空気の風量を検出するセンサである。風量センサ７が検出した風量の出力信号は、制御回路１３を介して制御部１２に入力される。この風量センサ７は、例えば、通風孔２の近傍などの空気の流れが大きくなる場所に配置されることが望ましい。
【００２８】
湿度センサ８は、筐体３内の湿度を検出するセンサである。ここでの湿度は、相対湿度を指す。湿度センサ８が検出した湿度の出力信号は、制御回路１３を介して制御部１２に入力される。この湿度センサ８は、例えば、電気回路である通信用ＬＳＩ４ａ〜４ｂ、制御部１２および制御回路１３の近傍などの湿度が高くなる場所に配置されることが望ましい。
【００２９】
なお、本実施の形態では、図１のように風量センサ７および湿度センサ８をそれぞれ１つ備える場合を説明するが、２つ以上であっても構わない。
【００３０】
制御部１２において、風量および湿度の判断基準となる閾値は、風量異常（風量低下）に基づくアラーム通知、湿度異常（湿度上昇）に基づくアラーム通知のそれぞれに対応して設定される。風量および湿度の判断基準となる閾値は、通信装置１の動作を継続した際にトラッキング現象を発生する危険のある風量および湿度に設定される。
【００３１】
本実施の形態では、風量の判断基準となる閾値、湿度の判断基準となる閾値をそれぞれ設定し、風量異常アラーム通知、湿度異常アラーム通知を行うように制御部１２を構成した。
【００３２】
具体的には、風量が第１閾値以下であるときは、風量異常アラーム通知を行い、湿度が第２閾値以上であるときは、湿度異常アラーム通知を行う。さらに、風量が第１閾値以下であり、かつ、湿度が第２閾値以上であるときは、通信装置１をシャットダウンするように構成した。
【００３３】
このように、本実施の形態では、風量が第１閾値以下になったら風量異常アラーム通知を行い、さらに、湿度が第２閾値以上になったら湿度異常アラーム通知を行い、そして、通信装置１をシャットダウンすることで、トラッキング現象の発生を防止することができる。
【００３４】
また、通信装置１の起動直後は、ファン５の回転数が安定しないので、誤動作を抑制するために、制御部１２は、起動から所定時間は、風量および湿度の検出値と閾値との比較判断を行わないように監視タイマーなどを設けることが望ましい。
【００３５】
また、本実施の形態では、風量異常アラーム通知および湿度異常アラーム通知のために、ＬＥＤ１０とＬＥＤ１０を駆動するＬＥＤ駆動回路１１とを備えている。そして、制御部１２は、風量が第１閾値以下となったときに、風量異常のアラーム信号をＬＥＤ駆動回路１１に出力し、ＬＥＤ駆動回路１１を制御してＬＥＤ１０を点灯させることで、作業者に、通信装置１の風量異常が発生してメンテナンスが必要であることを光により報知するように構成した。また、制御部１２は、風量が第１閾値以下でないときは、アラーム解除信号をＬＥＤ駆動回路１１に出力し、ＬＥＤ駆動回路１１を制御してＬＥＤ１０を消灯させるように構成した。
【００３６】
さらに、制御部１２は、湿度が第２閾値以上となったときに、湿度異常のアラーム信号をＬＥＤ駆動回路１１に出力し、ＬＥＤ駆動回路１１を制御してＬＥＤ１０を点灯させることで、作業者に、通信装置１の湿度異常が発生してメンテナンスの必要性が高まったことを光により報知するように構成した。また、制御部１２は、湿度が第２閾値以上でないときは、アラーム解除信号をＬＥＤ駆動回路１１に出力し、ＬＥＤ駆動回路１１を制御してＬＥＤ１０を消灯させるように構成した。なお、風量異常が発生した場合と、湿度異常が発生した場合とで、点灯させるＬＥＤ１０の色を異ならせることがより望ましい。
【００３７】
ただし、風量異常アラーム通知および湿度異常アラーム通知の構成はこれに限定されるものではなく、例えば、ＳＮＭＰ（Simple Network Management Protocol）トラップなどによりネットワークを通じて上位装置に警報を行うように構成してもよいし、ブザーなどを用いて音により報知を行うように構成してもよい。
【００３８】
さらに、風量の判断基準となる第１閾値、湿度の判断基準となる第２閾値は、段階的に設定することも可能であり、この場合には、風量が徐々に低下してきていること、湿度が徐々に上昇してきていることを段階的に報知することができる。
【００３９】
＜通信装置の制御方法＞
図４は、本実施の形態に係る通信装置の制御方法の一例を示すフロー図である。本実施の形態に係る通信装置１において、制御部１２は、通信装置１の起動後に図４の制御フローを実行する。
【００４０】
まず、ステップＳ１にて、制御部１２は、監視タイマーを監視して、通信装置１の起動後に所定時間が満了するまで待つ。この所定時間とは、通信装置１の各構成部品などが安定に動作するまでの時間である。その後、ステップＳ２にて、制御部１２は、風量センサ７で検出した風量が第１閾値以下であるか否かを判断する。
【００４１】
ステップＳ２でＹＥＳと判断された場合、ステップＳ３にて、制御部１２は、風量異常アラーム通知を行う。この風量異常アラーム通知では、ＬＥＤ１０の点灯や、ＳＮＭＰトラップ、ブザーなどにより警報を発し、管理者にメンテナンスが必要であることが報知される。
【００４２】
さらに、ステップＳ３の実行後に、ステップＳ４にて、制御部１２は、湿度センサ８で検出した湿度が第２閾値以上であるか否かを判断する。
【００４３】
ステップＳ４でＹＥＳと判断された場合、ステップＳ５にて、制御部１２は、湿度異常アラーム通知を行う。この湿度異常アラーム通知でも、ＬＥＤ１０の点灯や、ＳＮＭＰトラップ、ブザーなどにより警報を発し、管理者にメンテナンスが必要であることが報知される。
【００４４】
さらに、ステップＳ５の実行後に、ステップＳ６にて、制御部１２は、内部タイマーにおいて、通信装置１のシャットダウンに必要な所定時間が満了したか否かを判断する。この所定時間とは、通信装置１の各構成部品などが処理を終了し、シャットダウンの準備完了となるまでの時間である。ステップＳ６でＮＯと判断された場合、ステップＳ６に戻る。
【００４５】
ステップＳ６でＹＥＳと判断された場合、ステップＳ７にて、制御部１２は、通信装置１全体をシャットダウンし、処理を終了する。
【００４６】
また、ステップＳ２でＮＯと判断された場合、ステップＳ８にて、制御部１２は、風量異常アラーム解除通知を行う。この風量異常アラーム解除通知では、ＬＥＤ１０の消灯や、ＳＮＭＰトラップ、ブザーなどによる警報が解除される。
【００４７】
さらに、ステップＳ８の実行後に、ステップＳ９にて、制御部１２は、ステップＳ４と同様に、湿度センサ８で検出した湿度が第２閾値以上であるか否かを判断する。
【００４８】
ステップＳ９でＹＥＳと判断された場合、ステップＳ１０にて、制御部１２は、ステップＳ５と同様に、湿度異常アラーム通知を行う。そして、ステップＳ１０の実行後に、ステップＳ２に戻る。
【００４９】
また、ステップＳ９でＮＯと判断された場合、ステップＳ１１にて、制御部１２は、湿度異常アラーム解除通知を行う。この湿度異常アラーム解除通知でも、ＬＥＤ１０の消灯や、ＳＮＭＰトラップ、ブザーなどによる警報が解除される。そして、ステップＳ１１の実行後に、ステップＳ２に戻る。
【００５０】
また、ステップＳ４でＮＯと判断された場合、ステップＳ１２にて、制御部１２は、ステップＳ１１と同様に、湿度異常アラーム解除通知を行う。そして、ステップＳ１２の実行後に、ステップＳ２に戻る。
【００５１】
＜実施の形態１の効果＞
以上説明したように、本実施の形態に係る通信装置１では、風量センサ７と、湿度センサ８と、制御部１２と、を備える。風量センサ７は、筐体３内に設けられ、冷却用の空気の風量を検出する。湿度センサ８は、筐体３内に設けられ、筐体３内の湿度を検出する。そして、制御部１２は、風量センサ７が検出した風量が予め設定した第１閾値以下であるときは風量異常のアラーム通知を行うように制御し、湿度センサ８が検出した湿度が予め設定した第２閾値以上であるときは湿度異常のアラーム通知を行うように制御することができる。さらに、制御部１２は、風量センサ７が検出した風量が予め設定した第１閾値以下であり、かつ、湿度センサ８が検出した湿度が予め設定した第２閾値以上であるときは、通信装置１をシャットダウンするように制御することができる。
【００５２】
これにより、通風孔２を通り抜けた埃が通信装置１内部の通信用ＬＳＩ４ａ〜４ｂ、制御部１２や制御回路１３などの電気回路に付着した場合であっても、湿度を監視することで、埃が空気中の水分と結びついて炭化することを回避し、トラッキング現象の発生を防止することができる。また、風量を監視することで、埃が通風孔２に溜まって目詰まりを起こすことを防止することができる。この結果、通信装置１の故障を未然に防止することができる。
【００５３】
［実施の形態２］
実施の形態２に係る通信装置およびその制御方法を、図５〜図９を用いて説明する。
【００５４】
前記実施の形態１に係る通信装置１では、風量センサ７と湿度センサ８とを備えている場合を説明したが、より好適には、温度センサを備えることが望ましい。本実施の形態では、風量センサ７と湿度センサ８とに加えて、温度センサを備えた例を、前記実施の形態１と異なる点を主に説明する。
【００５５】
＜通信装置＞
図５〜図６は、本実施の形態に係る通信装置を説明するための図である。図５は、通信装置の全体構成および冷却用の空気の流れの一例を説明する図である。図６は、通信装置の機能構成の一例を示すブロック図である。
【００５６】
本実施の形態に係る通信装置１では、図５〜図６に示すように、風量センサ７と湿度センサ８とに加えて、温度センサ３１を備えている。温度センサ３１は、筐体３内に設けられ、筐体３内の温度を検出するセンサである。この温度センサ３１も、風量センサ７および湿度センサ８と同様に、基板上に実装されて、筐体３内に収納されている。温度センサ３１が検出した温度の出力信号は、制御回路１３を介して制御部１２に入力される。この温度センサ３１は、例えば、発熱部品である通信用ＬＳＩ４ａ〜４ｂ、制御部１２および制御回路１３の近傍などの温度が高くなる場所に配置されることが望ましい。
【００５７】
制御回路１３は、風量センサ７、湿度センサ８および温度センサ３１に接続され、各センサが検出した風量、湿度および温度の情報を制御部１２へ転送する。また、制御回路１３は、制御部１２に接続され、この制御部１２では、制御回路１３から転送されてくる風量、湿度および温度の各検出情報に基づいた制御を行う。風量および湿度については、前記実施の形態１と同様であるので、ここでの詳細な説明は省略する。
【００５８】
本実施の形態のような通信装置１では、埃が通風孔２に溜まって目詰まりを起こしてしまう場合に、通信装置１内部に冷却用の空気が取り込まれないため、通信装置１内部の温度が上昇することも考えられる。特に、通信装置１内部の温度の上昇は、通信トラフィック量に応じて発熱する通信用ＬＳＩ４ａ〜４ｂを含む発熱部品４の動作による影響が大きい。このような場合も考慮して、通信装置１内部の温度を監視することが望ましい。
【００５９】
そこで、本実施の形態に係る通信装置１では、筐体３内に設けられた温度センサ３１を備えている。温度センサ３１を備えた構成において、制御部１２は、風量センサ７が検出した風量および湿度センサ８が検出した湿度の他、温度センサ３１が検出した温度に基づいて制御を行う。例えば、制御部１２は、風量センサ７が検出した風量が予め設定した第１閾値以下でなくても、あるいは、湿度センサ８が検出した湿度が予め設定した第２閾値以上でなくても、温度センサ３１が検出した温度が予め段階的に設定した第３（３ａ、３ｂ）閾値以上であるときは、通信用ＬＳＩ４ａ〜４ｂを予め設定した優先順位に従って動作を停止させるように制御する。
【００６０】
制御部１２において、温度の判断基準となる閾値は、段階的に、温度異常（温度上昇）に基づく第１〜第２指定ブロックシャットダウン通知のそれぞれに対応して設定される。温度の判断基準となる閾値は、通信用ＬＳＩ４ａ〜４ｂの動作を継続した際に故障が発生する危険のある温度に段階的に設定される。ここで、第１指定ブロックは、第１通信用ＬＳＩ４ａに繋がる第１〜６ポートに対応する。また、第２指定ブロックは、第２通信用ＬＳＩ４ｂに繋がる第７〜１２ポートに対応する。
【００６１】
本実施の形態では、風量の判断基準となる閾値、湿度の判断基準となる閾値の他、温度の判断基準となる閾値をそれぞれ設定し、かつ、温度の判断基準となる閾値については段階的に設定し、通信用ＬＳＩ４ａ〜４ｂの動作停止を段階的に行うように制御部１２を構成した。
【００６２】
具体的には、風量が第１閾値以下であるときは、風量異常アラーム通知を行い、湿度が第２閾値以上であるときは、湿度異常アラーム通知を行う。さらに、温度が第３ａ閾値以上であるときは、第１温度異常アラーム通知および第１指定ブロックシャットダウン通知を行い、第１通信用ＬＳＩ４ａの動作を停止させ、温度が第３ｂ閾値以上であるときは、第２温度異常アラーム通知および第２指定ブロックシャットダウン通知を行い、第２通信用ＬＳＩ４ｂの動作を停止させるように構成した。また、温度が第３ａ閾値以上でないときは、第１温度異常アラーム解除通知を行い、温度が第３ｂ閾値以上でないときは、第２温度異常アラーム解除通知を行うように構成した。なお、温度の各閾値の大小関係は、第３ａ閾値＜第３ｂ閾値、である。
【００６３】
この場合に、第１指定ブロックシャットダウン通知では、制御部１２から第１通信用ＬＳＩ４ａにシャットダウン命令を出力することで、第１通信用ＬＳＩ４ａの動作が停止するとともに第１〜６ポートがシャットダウンする。また、第２指定ブロックシャットダウン通知では、制御部１２から第２通信用ＬＳＩ４ｂにシャットダウン命令を出力することで、第２通信用ＬＳＩ４ｂの動作が停止するとともに第７〜１２ポートがシャットダウンする。
【００６４】
さらに、風量が第１閾値以下であり、かつ、湿度が第２閾値以上であるときは、通信装置１をシャットダウンするように構成した。また、風量および湿度によらず、温度が第３ｂ閾値以上であるときも、通信装置１をシャットダウンするように構成した。
【００６５】
このように、本実施の形態では、温度が第３ａ閾値以上になったら第１通信用ＬＳＩ４ａの動作を停止させ、さらに、温度が第３ｂ閾値以上になったら第２通信用ＬＳＩ４ｂの動作を停止させ、そして、通信装置１をシャットダウンすることで、通信装置１の故障を確実に回避することができる。
【００６６】
本実施の形態では、段階的に、第１通信用ＬＳＩ４ａ、さらに第２通信用ＬＳＩ４ｂの動作を停止させるので、自動的にポートをシャットダウンし、通信トラフィック量を絞っていくことができる。
【００６７】
ここで、通信用ＬＳＩ４ａ〜４ｂの動作を停止させる順番（優先順位）については、使用者が任意に選択できるように構成することが望ましい。これにより、例えば、比較的重要度の低いポートから順次シャットダウンし、システムの設計上重要なポートを最後までシャットダウンさせないようにする、といった対応が可能になる。システムの設計上重要なポートには、例えば、ネットワークにおける階層構造の上位側の装置に接続されるポートなどがある。
【００６８】
また、本実施の形態では、温度の閾値を第３ａ閾値と第３ｂ閾値の２段階で設定したが、３段階以上で設定することも可能であり、この場合には、温度が徐々に上昇してきていることを細かに報知することができる。
【００６９】
＜通信装置の制御方法＞
図７および図８は、本実施の形態に係る通信装置の制御方法の一例を示すフロー図である。本実施の形態に係る通信装置１において、制御部１２は、通信装置１の起動後に図７および図８の制御フローを実行する。ステップＳ１〜Ｓ１２については、前記実施の形態１と同様に行われる。
【００７０】
ステップ１０（湿度異常アラーム通知）の実行後に、ステップＳ２１にて、制御部１２は、温度センサ３１で検出した温度が第３ａ閾値以上であるか否かを判断する。
【００７１】
ステップＳ２１でＹＥＳと判断された場合、制御部１２は、ステップＳ２２にて、第１温度異常アラーム通知を行い、ステップＳ２３にて、第１指定ブロックシャットダウン通知を行い、ステップＳ２４にて、第１通信用ＬＳＩ４ａの動作を停止させる。第１通信用ＬＳＩ４ａの動作停止では、第１指定ブロックの第１〜６ポートもシャットダウンとなる。この第１温度異常アラーム通知や第１指定ブロックシャットダウン通知では、ＬＥＤ１０の点灯や、ＳＮＭＰトラップ、ブザーなどにより警報を発し、管理者にメンテナンスが必要であることが報知される。
【００７２】
さらに、ステップＳ２４の実行後に、ステップＳ２５にて、制御部１２は、温度センサ３１で検出した温度が第３ｂ閾値以上であるか否かを判断する。
【００７３】
ステップＳ２５でＹＥＳと判断された場合、制御部１２は、ステップＳ２６にて、第２温度異常アラーム通知を行い、ステップＳ２７にて、第２指定ブロックシャットダウン通知を行い、ステップＳ２８にて、第２通信用ＬＳＩ４ｂの動作を停止させる。第２通信用ＬＳＩ４ｂの動作停止では、第２指定ブロックの第７〜１２ポートもシャットダウンとなる。この第２温度異常アラーム通知や第２指定ブロックシャットダウン通知でも、ＬＥＤ１０の点灯や、ＳＮＭＰトラップ、ブザーなどにより警報を発し、管理者にメンテナンスが必要であることが報知される。
【００７４】
さらに、ステップＳ２８の実行後に、ステップＳ２９にて、制御部１２は、ステップＳ６と同様に、内部タイマーにおいて、通信装置１のシャットダウンに必要な所定時間が満了したか否かを判断する。ステップＳ２９でＮＯと判断された場合、ステップＳ２９に戻る。
【００７５】
ステップＳ２９でＹＥＳと判断された場合、ステップＳ７にて、制御部１２は、通信装置１全体をシャットダウンし、処理を終了する。
【００７６】
また、ステップＳ２１でＮＯと判断された場合、ステップＳ３０にて、制御部１２は、第１温度異常アラーム解除通知を行う。この第１温度異常アラーム解除通知でも、ＬＥＤ１０の消灯や、ＳＮＭＰトラップ、ブザーなどによる警報が解除される。そして、ステップＳ３０の実行後に、ステップＳ３１にて、第１通信用ＬＳＩ４ａの動作を継続して、ステップＳ２に戻る。
【００７７】
また、ステップＳ２５でＮＯと判断された場合、ステップＳ３２にて、制御部１２は、第２温度異常アラーム解除通知を行う。この第２温度異常アラーム解除通知でも、ＬＥＤ１０の消灯や、ＳＮＭＰトラップ、ブザーなどによる警報が解除される。そして、ステップＳ３２の実行後に、ステップＳ３３にて、第２通信用ＬＳＩ４ｂの動作を継続して、ステップＳ２に戻る。
【００７８】
図７および図８で示した通信装置の制御方法において、各閾値とアラームおよびシャットダウンとの関係をまとめると図９のようになる。図９は、図７および図８による通信装置の制御方法において、各閾値とアラームおよびシャットダウンとの関係の一例を説明する図である。
【００７９】
図９において、風量（第１閾値）、湿度（第２閾値）、温度（第３ａ閾値、第３ｂ閾値）のそれぞれは、○が正常状態、×が異常状態を示す。アラームには、風量異常、湿度異常、温度異常の各アラームがある。シャットダウンには、第１通信用ＬＳＩ、装置の各シャットダウンがある。
【００８０】
例えば、風量、湿度および温度（第３ａ閾値および第３ｂ閾値）のいずれもが正常状態の場合には、アラームおよびシャットダウンのいずれもない。また、風量、湿度および温度（第３ｂ閾値）が正常状態で、温度（第３ａ閾値）が異常状態の場合には、アラームはなく、第１通信用ＬＳＩがシャットダウンとなる。また、風量および湿度が正常状態で、温度（第３ａ閾値および第３ｂ閾値）が異常状態の場合には、アラームはなく、装置がシャットダウンとなる。
【００８１】
また、風量および温度（第３ａ閾値および第３ｂ閾値）が正常状態で、湿度が異常状態の場合には、湿度異常のアラームがあり、シャットダウンはない。また、風量および温度（第３ｂ閾値）が正常状態で、湿度および温度（第３ａ閾値）が異常状態の場合には、湿度異常のアラームがあり、第１通信用ＬＳＩがシャットダウンとなる。また、風量が正常状態で、湿度および温度（第３ａ閾値および第３ｂ閾値）が異常状態の場合には、湿度異常のアラームがあり、装置がシャットダウンとなる。
【００８２】
また、湿度および温度（第３ａ閾値および第３ｂ閾値）が正常状態で、風量が異常状態の場合には、風量異常のアラームがあり、シャットダウンはない。また、湿度および温度（第３ｂ閾値）が正常状態で、風量および温度（第３ａ閾値）が異常状態の場合には、風量異常のアラームがあり、第１通信用ＬＳＩがシャットダウンとなる。また、湿度が正常状態で、風量および温度（第３ａ閾値および第３ｂ閾値）が異常状態の場合には、風量異常のアラームがあり、装置がシャットダウンとなる。
【００８３】
また、温度（第３ａ閾値および第３ｂ閾値）が正常状態で、風量および湿度が異常状態の場合には、風量異常および温度異常のアラームがあり、装置がシャットダウンとなる。また、温度（第３ｂ閾値）が正常状態で、風量、湿度および温度（第３ａ閾値）が異常状態の場合には、風量異常および温度異常のアラームがあり、装置がシャットダウンとなる。また、風量、湿度および温度（第３ａ閾値および第３ｂ閾値）のいずれもが異常状態の場合には、風量異常および温度異常のアラームがあり、装置がシャットダウンとなる。
【００８４】
＜実施の形態２の効果＞
以上説明したように、本実施の形態に係る通信装置１では、風量センサ７と湿度センサ８とに加えて、温度センサ３１を備えることで、前記実施の形態１と異なる効果として、以下のような効果を得ることができる。温度センサ３１は、筐体３内に設けられ、筐体３内の温度を検出する。そして、制御部１２は、温度センサ３１が検出した温度が予め段階的に設定した第３ａ閾値以上であるときは、予め設定した優先順位に従って第１指定ブロックシャットダウン通知により第１通信用ＬＳＩ４ａの動作を停止させ、さらに、温度が予め設定した第３ａ閾値より高い第３ｂ閾値以上であるときは、第２指定ブロックシャットダウン通知により第２通信用ＬＳＩ４ｂの動作を停止させるように制御することができる。さらに、制御部１２は、温度センサ３１が検出した温度が予め段階的に設定した第３ｂ閾値以上であるときは、通信装置１をシャットダウンするように制御することができる。
【００８５】
これにより、通風孔２に埃が溜まるなどして目詰まりが発生した場合であっても、温度を監視することで、通信用ＬＳＩ４ａ〜４ｂを優先順位に従って動作を停止させることで通信トラフィック量を絞っていき、筐体３内の温度上昇を抑えることができる。この結果、通信装置１の故障を未然に防止することができる。
【００８６】
以上、本発明を実施の形態に基づき具体的に説明したが、本発明は前記実施の形態に限定されるものではなく、その要旨を逸脱しない範囲で種々変更可能であることは言うまでもない。
【００８７】
例えば、前記実施の形態では、筐体３の前面の通風孔２から吸気し、筐体３の背面から排気する前面吸気・背面排気の構造とする場合を説明したが、吸気方向や排気方向はこれに限定されるものではなく、例えば、背面吸気・前面排気としても構わない。
【００８８】
また、前記実施の形態では、閾値（第１〜３閾値）を固定値としたが、これに限定されるものではない。例えば、ファン５の回転数を可変している場合、ファン５の回転数に応じて閾値を変化させても構わない。
【００８９】
また、前記実施の形態において、ファン５の故障を検出するように構成してもよい。例えば、自身の回転数を出力するセンサピンを備えたファン５と制御回路１３とを接続し、制御回路１３において、ファン５のセンサピンからの回転数の出力を基にファン５の回転数を検出し、制御部１２でファン５の状態（すなわち故障であるか否か）を判断するように構成する。この場合には、ファン５の故障を検出することにより、風量低下、湿度上昇または温度上昇の原因が通風孔２の目詰まりによるものか、あるいはファン５の故障によるものか、などといった原因の切り分けをすることが可能になる。
【００９０】
また、前記実施の形態では、風量センサ７、湿度センサ８および温度センサ３１をそれぞれ１つ備える場合を説明したが、それぞれ、２つ以上であっても構わない。この場合には、２つ以上のセンサで検出した値の平均値を検出値としてもよい。あるいは、１つでも風量低下、湿度上昇または温度上昇となったときに、異常の発生と判断するようにしてもよい。
【符号の説明】
【００９１】
１  通信装置
２  通風孔
３  筐体
４  発熱部品
４ａ〜４ｂ  通信用ＬＳＩ
５  ファン
７  風量センサ
８  湿度センサ
１０  ＬＥＤ
１１  ＬＥＤ駆動回路
１２  制御部
１３  制御回路
３１  温度センサ
【図１】
0006591880.tif 000002
【図２】
0006591880.tif 000003
【図３】
0006591880.tif 000004
【図４】
0006591880.tif 000005
【図５】
0006591880.tif 000006
【図６】
0006591880.tif 000007
【図７】
0006591880.tif 000008
【図８】
0006591880.tif 000009
【図９】
0006591880.tif 000010